(57)【要約】【課題】赤外線と近紫外線とを共にカットすることができる近紫外線及び赤外線カットフィルタを提供すること。【解決手段】光透過部材からなる基板２と、基板２の一方の主面に赤外線を防止する高屈折率膜と低屈折率膜とを交互に重ねて積層した第１の多層膜２ａと、基板２の他方の主面に近紫外線を防止する高屈折率膜と低屈折率膜とを交互に重ねて積層した第２の多層膜２ｂとを備え、第１の多層膜２ａの総層数を２０層以上、第２の多層膜２ｂの総層数を１９層以上として近紫外線及び赤外線カットフィルタを構成するようにした。【選択図】図１
2007304573.tif 000002
【特許請求の範囲】
【請求項１】
光透過部材からなる基板と、
前記基板の一方の主面に赤外線を防止する高屈折率膜と低屈折率膜とを交互に重ねて積
層した第１の多層膜と、
前記基板の他方の主面に近紫外線を防止する高屈折率膜と低屈折率膜とを交互に重ねて
積層した第２の多層膜と、を備え、
前記第１の多層膜の総層数を２０層以上、前記第２の多層膜の総層数を１９層以上とし
たことを特徴とする近紫外線及び赤外線カットフィルタ。
【請求項２】
複屈折性を有する基板と、
前記基板の一方の主面に赤外線を防止する高屈折率膜と低屈折率膜とを交互に重ねて積
層した第１の多層膜と、
前記基板の他方の主面に近紫外線を防止する高屈折率膜と低屈折率膜とを交互に重ねて
積層した第２の多層膜と、を備え、
前記第１の多層膜の総層数を２０層以上、前記第２の多層膜の総層数を１９層以上とし
たことを特徴とする近紫外線及び赤外線カットフィルタ付き複屈折板。
【請求項３】
請求項２に記載の近紫外線及び赤外線カットフィルタ付き複屈折板と、１／４波長板と
、複屈折板と、を備え、前記赤外線カットフィルタ付き複屈折板の出射面側に前記１／４
波長板と前記複屈折板とを配置したことを特徴する光学ローパスフィルタ。
【請求項４】
１／４波長板をさらに備え、前記近紫外線及び赤外線カットフィルタ付き複屈折板の入
射面側に１／４波長板を配置したことを特徴とする請求項３に記載の光学ローパスフィル
タ。
【請求項５】
請求項２に記載の近紫外線及び赤外線カットフィルタ付き複屈折板と、１／４波長板と
、を備え、前記近紫外線及び赤外線カットフィルタ付き複屈折板の入射面側に前記１／４
波長板を配置したことを特徴とする光学ローパスフィルタ。
【請求項６】
請求項３乃至５のいずれか一項に記載の光学ローパスフィルタを備えたことを特徴とす
る撮像装置。
【発明の詳細な説明】
【技術分野】
【０００１】
本発明は、近紫外線及び赤外線カットフィルタ、近紫外線及び赤外線カットフィルタ付
き複屈折板、これを用いた光学ローパスフィルタ及び撮像装置に関する。
【背景技術】
【０００２】
近年、ビデオカメラやデジタルカメラの小型化、高性能化に伴って、これらに用いられ
る光学デバイスも、小型・高性能化が要求されるようになった。ビデオカメラやデジタル
カメラに用いられる固体撮像素子（Charge Coupled Device：以下「ＣＣＤ」という）は
、光の強さに応じて蓄電容量が変化するシリコンフォトダイオードからなる光電素子（画
素）を、マトリクス状に配列して構成されている。このような固体撮像素子を用いて、対
象物を撮影すると、規則的に配列された画素上の蓄電容量が変化し、これを空間的にサン
プリングすることにより、観察した対象物に対応する電気信号を生成し、それを変換して
像を構成する。ＣＣＤは空間サンプリング素子であり、画素の周期（画素のピッチ）より
短い波長（高い空間周波数）の光が入ると、エイリアシングを生じ、干渉縞が生じる。所
謂モアレ現象が生じる。このため、固体撮像素子を用いた機器では、撮影像に含まれる空
間的な高周波成分を抑制すべく、光学ローパスフィルタ（Optical Low Pass Filter：以
下「ＯＬＰＦ」という）を用いている。
また、ＣＣＤは人の目には感じない赤外線まで感知するので、赤外線を除去して、視感
度補正を行うフィルタを光学ローパスフィルタと共に用いるのが一般的である。
【０００３】
光学ローパスフィルタは空間周波数の高い成分を除去するためのフィルタであり、複屈
折性を有する、例えば水晶などを用いて構成され、入射光を光学的に分離し、空間周波数
の高い成分の像をぼかすようにする。また、赤外線を除去するフィルタは、光学ガラスに
添加する成分により透過率を変え、赤外線を吸収するようにした赤外線吸収ガラス（以下
、ＩＲガラスと称す）や、光学ガラスの面に誘電体膜を多層に形成し、その層数と夫々の
膜厚とを精度よく制御することにより、光の透過特性を変化させるコーティングタイプと
がある。
【０００４】
後者の例は、例えば特許文献１等に開示されている。図１４に示すように、水晶等から
なる基板６０の一方の面に総膜厚が２．４μｍ程度の多層膜６１を形成し、基板６０の他
方の面に総膜厚が２．０μｍ程度の多層膜６２を形成する。多層膜６１は、高屈折率膜の
五酸化ニオブ（Ｎｂ2Ｏ5）６３と、低屈折率膜の二酸化シリコン（ＳｉＯ2）６４とが、
所定の厚さで、交互に２０層積層された多層膜からなる。一方、多層膜６２は同様にＳｉ
Ｏ2膜とＮｂ2Ｏ5膜とが所定の厚さで、交互に１９層積層された多層膜からなる。このよ
うに、高屈折率膜と低屈折率膜とを交互に積層して形成した多層膜は、赤外線カットフィ
ルタ（ＩＲカットフィルタ）として機能し、可視光は透過するが、６８０ｎｍ以上の赤外
線の透過率を十分に小さくすると開示されている。なお、基板の両面にほぼ均等な厚さの
多層膜を設けることで、両面の多層膜の応力の釣り合いが取れるようにしたと開示されて
いる。
【０００５】
しかし、ビデオカメラやデジタルカメラの性能向上には、赤外線を防止するだけでは不
十分であり、レンズ系の近紫外線領域の色収差により、撮影された画像に紫色の輪郭ぼけ
が発生することが知られている。これは光学系を構成する媒質の屈折率が光の波長に依存
する性質があり、同一媒質であっても可視光に対する屈折率と、近紫外線に対する屈折率
とが異なることに起因している。そこで、ＵＶカットフィルタを用い可視光は透過するが
、近紫外線以下の波長をほぼ吸収することにより、レンズ系で発生する色収差を除去して
映像信号の偽色を低減することが可能になると、特許文献２に開示されている。
【０００６】
また、特許文献３には図１５に示すような光学フィルタユニット６５が開示されている
。光学フィルタユニット６５はＣＣＤの受光面に重ねて設けられ、紫外線カットフィルタ
６６と、光学ローパスフィルタ６７と、赤外線カットフィルタ６８と、光学ローパスフィ
ルタ６９、７０とからなる。光学ローパスフィルタ６６、６９、７０は被写体光の空間周
波数の中から、ＣＣＤの画素間隔で決まる標本化空間周波数に近い空間周波数成分を低減
させるように作用する。この光学ローパスフィルタ６６、６９、７０を設けたことにより
、偽色（モアレ）が生じるのを防止する。赤外線カットフィルタ６８を設けることにより
、ＣＣＤが人間の目には見えない赤外光を受光するのを防止する。また、紫外線カットフ
ィルタ６６は、ＣＣＤが撮像した画像に青色や紫色の色にじみが生じるのを防止すること
ができると開示されている。
【０００７】
図１６は、水晶や光学ガラス等の基板の片面に１層、２層、３層・・と高屈折率膜の二
酸化チタン（ＴｉＯ2）と、低屈折率膜の二酸化シリコン（ＳｉＯ2）と、を交互に重ねて
積層した多層膜の、各層の膜の材質と、その膜の厚さ（μｍ）とを一覧表にした図である
。この多層膜により近紫外線カットフィルタ（ＵＶカットフィルタ）と、赤外線カットフ
ィルタ（ＩＲカットフィルタ）との機能を有するように構成した。図１７が、図１６に示
した多層膜からなる近紫外線及び赤外線カットフィルタ（ＵＶＩＲカットフィルタ）の波
長（ｎｍ）−透過率（％）特性である。
【０００８】
【特許文献１】特開２００３−２７９７２６号公報
【特許文献２】特開２００３−４６８２１号公報
【特許文献３】特開２００５−１２１７２３号公報
【発明の開示】
【発明が解決しようとする課題】
【０００９】
しかしながら、特許文献１に開示された赤外線カットフィルタ付き光学ローパスフィル
タは、赤外線をカットすると共に基板の反りを抑制できるものの、性能向上のため最近の
ビデオカメラやデジタルカメラに要求される近紫外線カット（ＵＶカット）の機能を有し
ないという問題があった。
また、特許文献２、３に開示されたように、赤外線や近紫外線を吸収する素材を用いた
赤外線カットフィルタや近紫外線カットフィルタを用いることで、赤外線や近紫外線は防
止できるものの、フィルタユニットが大きくなり、最近の要求を満たさないという問題が
あった。
本発明は、赤外線と近紫外線とを共にカットする多層膜の近紫外線及び赤外線カットフ
ィルタ（ＵＶＩＲカットフィルタ）と、これを用いた光学ローパスフィルタ及び撮像装置
を提供することにある。
【課題を解決するための手段】
【００１０】
本発明の近紫外線及び赤外線カットフィルタは、光透過部材からなる基板と、基板の一
方の主面に赤外線を防止する高屈折率膜と低屈折率膜とを交互に重ねて積層した第１の多
層膜と、基板の他方の主面に近紫外線を防止する高屈折率膜と低屈折率膜とを交互に重ね
て積層した第２の多層膜と、を備え、第１の多層膜の総層数を２０層以上、前記第２の多
層膜の総層数を１９層以上とした。このように構成した近紫外線及び赤外線カットフィル
タは、波長３８０ｎｍ以下の近紫外線と、波長６８０ｎｍから１１８０ｎｍの赤外線を大
幅にカットするという効果がある。
【００１１】
また、本発明の近紫外線及び赤外線カットフィルタ付き複屈折板は、複屈折性を有する
基板と、基板の一方の主面に赤外線を防止する高屈折率膜と低屈折率膜とを交互に重ねて
積層した第１の多層膜と、基板の他方の主面に近紫外線を防止する高屈折率膜と低屈折率
膜とを交互に重ねて積層した第２の多層膜と、を備え、第１の多層膜の総層数を２０層以
上、第２の多層膜の総層数を１９層以上とした。このように構成した近紫外線及び赤外線
カットフィルタ付き複屈折板は、波長３８０ｎｍ以下の近紫外線と、波長６８０ｎｍから
１１８０ｎｍの赤外線を反射するという効果がある。
【００１２】
本発明の光学ローパスフィルタは、本発明の近紫外線及び赤外線カットフィルタ付き複
屈折板と、１／４波長板と、複屈折板と、を備え、赤外線カットフィルタ付き複屈折板の
出射面側に１／４波長板と前記複屈折板とを配置した。このように構成した光学ローパス
フィルタは、最近の高級な光学ローパスフィルタに要求される、波長３８０ｎｍ以下の近
紫外線をカットすると共に、波長６８０ｎｍから１１８０ｎｍ赤外線をカットして、仕様
を十分に満たすことができるという効果がある。
【００１３】
また本発明の光学ローパスフィルタは、１／４波長板をさらに備え、本発明の近紫外線
及び赤外線カットフィルタ付き複屈折板の入射面側に１／４波長板を配置した。このよう
に構成した光学ローパスフィルタは、高級な光学ローパスフィルタに要求される、波長３
８０ｎｍ以下の近紫外線をカットすると共に、波長６８０ｎｍから１１８０ｎｍ赤外線を
カットすると共に、例えば波打つ海面からのからの反射光があるような厳しい条件で撮影
するような場合にもデジタルカメラで撮影することが可能になるという効果がある。
【００１４】
また本発明の光学ローパスフィルタは、本発明の近紫外線及び赤外線カットフィルタ付
き複屈折板と、１／４波長板と、を備え、近紫外線及び赤外線カットフィルタ付き複屈折
板の入射面側に１／４波長板を配置した。このように構成した光学ローパスフィルタは、
一般的な光学ローパスフィルタに要求される、波長３８０ｎｍ以下の近紫外線をカットす
ると共に、波長６８０ｎｍから１１８０ｎｍ赤外線をカットすると共に、例えば波打つ海
面からのからの反射光があるような厳しい条件で撮影するような場合にもデジタルカメラ
で撮影することが可能になるという効果がある。
【００１５】
また本発明の撮像装置は、本発明の光学ローパスフィルタを備えることを特徴とする。
このように構成した撮像装置は、近紫外線及び赤外線を防止する機能を有しているので、
赤外線による視感度の問題も解消し、光学系に起因する近紫外線の色収差、つまり、青色
や紫色の色にじみの問題も解決されるという効果がある。
【発明を実施するための最良の形態】
【００１６】
以下、本発明に係る実施の形態を図面に基づいて詳細に説明する。
図１は、本発明に係る近紫外線及び赤外線カットフィルタ１の構成を示す斜視図であっ
て、光透過部材からなる基板２と、該基板２の一方の主面に赤外線を防止するための、高
屈折率膜と低屈折率膜とを交互に重ねて積層した第１の多層膜２ａと、基板２の他方の主
面に近紫外線を防止するための、高屈折率膜と低屈折率膜とを交互に重ねて積層した第２
の多層膜２ｂと、を備えている。
【００１７】
高屈折率膜の材料としては二酸化チタン（ＴｉＯ2）、五酸化ニオブ（Ｎｂ2Ｏ5）、五
酸化タンタル（Ｔａ2Ｏ5）等があり、低屈折率膜の材料としては二酸化シリコン（ＳｉＯ
2）、フッカマグネシウム（ＭｇＦ2）等が知られている。例えば、高屈折率膜として二酸
化チタン（ＴｉＯ2）を、低屈折率膜として二酸化シリコン（ＳｉＯ2）を用い、赤外線カ
ットフィルタ（ＩＲカットフィルタ）を形成すべく、図２に示すように基板２の図中上の
面に交互に積層する二酸化チタン膜の層数とその膜厚、二酸化シリコン膜の層数とその膜
厚を種々変え、周知の光に関するフィルタ理論を用いてＩＲカットフィルタのシミュレー
ションを行った。
その結果の一例を図３（ａ）に示す。
基板２に接する層を二酸化チタン膜とその厚さ０．０１７μｍ、次の層を二酸化シリコ
ン膜とその厚さ０．０３１μｍと、交互に積層して、総層数を２０層としてＩＲカット膜
を構成した。このＩＲカットフィルタの波長（ｎｍ）−透過率（％）特性を図４に示す。
【００１８】
次に、近紫外線カットフィルタ（ＵＶカットフィルタ）を形成すべく、図２に示すよう
に基板２の図中下の面に交互に積層する二酸化シリコン膜の層数とその膜厚、二酸化チタ
ン膜の層数とその膜厚を種々変えて、ＵＶカットフィルタのシミュレーションを行った。
その結果の一例を図３（ｂ）に示す。
基板２に接する層を厚さ０．３６８μｍの二酸化シリコン膜、次の層を厚さ０．０１１
μｍの二酸化チタン膜と、交互に積層して総層数が１９層からなるＵＶカット膜を構成し
た。このＵＶカットフィルタの波長（ｎｍ）−透過率（％）特性を図５に示す。なお、こ
のＵＶカット膜は可視光の反射防止（ＡＲ）を兼ねる機能を備えている。
【００１９】
本発明に係る近紫外線及び赤外線カットフィルタ（ＵＶＩＲカットフィルタ）の波長（
ｎｍ）−透過率（％）特性は、図４に示すＩＲカットフィルタの波長（ｎｍ）−透過率（
％）特性と、図５に示すＵＶカットフィルタの波長（ｎｍ）−透過率（％）特性との積に
なるので、図６に示す波長（ｎｍ）−透過率（％）特性が得られた。図１７に示した波長
（ｎｍ）−透過率（％）特性と比較して、３００ｎｍから３２０ｎｍの近紫外線が大幅に
カットされると共に、赤外線領域でも１１５０ｎｍ近傍の赤外線が抑圧されることが判明
した。
【００２０】
図７は本発明に係る第２の実施例である光学ローパスフィルタの一例の構成を示す斜視
図であって、光学ローパスフィルタ３は、複屈折性を有する水晶基板５と、該基板５の一
方の主面に赤外線を防止するための、高屈折率膜と低屈折率膜とを交互に重ねて積層した
第１の多層膜５ａと、基板２の他方の主面に近紫外線を防止するための、高屈折率膜と低
屈折率膜とを交互に重ねて積層した第２の多層膜５ｂと、１／４波長板６と、水晶板７と
、を備えている。本実施例のように、水晶基板５の両面に夫々赤外線カット膜（ＩＲカッ
ト膜）５ａと、近紫外線カット膜（ＵＶカット膜）５ｂを形成することにより、光学ロー
パスフィルタ（ＯＬＰＦ）３を薄型化することが可能となり、最近のビデオカメラ、デジ
タルカメラ等の要求を満たすことができる。
【００２１】
図８は、図７に示した光学ローパスフィルタの分解斜視図である。互いに直交する光学
軸を有する２枚の水晶複屈折板５、７のうち、例えば水晶複屈折板５の一方の面にＩＲカ
ット膜を、他方の面にＵＶカット膜を夫々形成し、ＩＲ／ＵＶＡＲコート複屈折板４とい
うことにする。
入射光（ランダム光）９はＩＲ／ＵＶＡＲコート０°複屈折板４（光学軸の方位角０°
）を通過する際に、入射光（ランダム光）９はＩＲ／ＵＶＡＲコート０°複屈折板４の両
面に夫々形成されたＩＲカット膜とＵＶカット膜とにより、赤外線と近紫外線の成分がカ
ットされ、可視光のみが透過する。そして、ＩＲ／ＵＶＡＲコート０°複屈折板４の複屈
折性により常光線１０と、異常光線１１とに分離される。常光線１０はＩＲ／ＵＶＡＲコ
ート０°複屈折板４を直進し、異常光線１１はＹ軸方向に屈折し、２本の偏光光に分離さ
れ、１／４波長板６に入射する。入射した常光線１０と異常光線１１とは、１／４波長板
６により夫々位相が９０°変換されることにより、互いに回転方向が異なる円偏光１２、
１３に変換されて、９０°複屈折板７に入射する。入射した円偏光１２は、９０°複屈折
板７により常光線１４と、異常光線１５とに分離され、常光線１４は９０°複屈折板７を
直線し、異常光線１５はＸ軸方向に屈折し、常光線１４と、異常光線１５との２本の偏光
光に分離される。
【００２２】
また、円偏光１３は、９０°複屈折板７により常光線１６と、異常光線１７とに分離さ
れ、常光線１６は９０°複屈折板７を直進し、異常光線１７は９０°複屈折板７によりＸ
軸方向に屈折し、常光線１６と、異常光線１７の２本の偏光光に分離される。このように
、２枚の複屈折板５、７を備えた光学ローパスフィルタは入射光を４本の光線に分離する
作用を有している。
本発明の光学ローパスフィルタ３は、ＵＶカット膜とＩＲカット膜とを備えているので
、赤外線による視感度の問題も解消し、光学系に起因する近紫外線の色収差、つまり、青
色や紫色の色にじみの問題も解決され、最近の高級なビデオカメラやデジタルカメラ等に
要求される、光学ローパスフィルタの規格を十分に満たすことができる。
【００２３】
図９は本発明に係る第３の実施例である光学ローパスフィルタの一例の構成を示す斜視
図であって、光学ローパスフィルタ１８は、１／４波長板１９と、ＩＲ／ＵＶＡＲコート
複屈折板２０とを備えている。ＩＲ／ＵＶＡＲコート複屈折板２０は、複屈折性を有する
水晶基板２１（光学軸方位角４５°）と、該基板２１の一方の主面に赤外線を防止するた
めの、高屈折率膜と低屈折率膜とを交互に重ねて積層した第１の多層膜２１ａと、基板２
１の他方の主面に近紫外線を防止するための、高屈折率膜と低屈折率膜とを交互に重ねて
積層した第２の多層膜２１ｂとからなる。第２の多層膜２１ｂは反射防止（ＡＲ）の機能
を有している。
【００２４】
図１０は、図９に示した光学ローパスフィルタ１８の分解斜視図であって、その作用に
ついて説明する。入射光９が１／４波長板１９に入射すると、該１／４波長板１９により
円偏光２１に変換されて出射し、ＩＲ／ＵＶＡＲコート４５°複屈折板に入射する。ＩＲ
／ＵＶＡＲコート４５°複屈折板を透過する際に、その両面に夫々形成されたＩＲカット
膜、ＵＶカット膜により、赤外線と近紫外線がカットされ、可視光のみが透過することに
なる。さらに、４５°複屈折性により、常光線２２と異常光線２３の２点に分離される。
つまり、入射光９は光学ローパスフィルタ１８により、モアレ等を引き起こす疑似色信号
を除去し、２点に分離された出射光となる。その上、出射光は複屈折板２１の両面に形成
されたＩＲ膜、ＵＶ膜により、可視光のみとなる。
【００２５】
図１１は、本発明に係る第４の実施例である光学ローパスフィルタ２５の一例の構成を
示す斜視図、図１２はその分解斜視図である。図７に示した光学ローパスフィルタ３と異
なる点は、光学ローパスフィルタ２５の入射面に１／４波長板２６が付加された点である
。１／４波長板２６の作用は、９０度位相を変換することにより、直線偏光を円偏光に、
また逆に円偏光を直線偏光に変換することである。それ以下の光学作用は図８で説明した
通りである。
【００２６】
図９、図１１に示すように光学系の入射側に１／４波長板を設ける理由を説明する。波
打つ海面に自然光（ランダム光）が入射すると、その反射光には直線偏光光が含まれるこ
ととなり、該反射光が１／４波長板が入射側にない光学ローパスフィルタへ入射すると、
前記直線偏光と複屈折板の光学軸の方向が同一の場合、前記直線偏光が複屈折板で分離さ
れることなく次の光学素子へ入射することになるので、画像の色再現等に悪影響を及ぼし
てしまうこととなる。そこで、水面から反射してきた自然光が光学ローパスフィルタに入
射する際に、複屈折板に自然光が入射する前に、確実に全ての光成分をランダム光（円偏
光）とした上で、複屈折板に入射させ入射光全てを常光、異常光に分割せしめて撮像素子
へ導くことにより画像の色再現性等を高めるという手法（図９、図１１の構造）が好適な
のである。
【００２７】
以上の光学ローパスフィルタについての説明では複屈折板に水晶板を用いて説明したが
、ニオブ酸リチウム、ルチル、四酸化バナジウム（ＹＶＯ4）、光学異方性高分子成形体
等の複屈折性を有する材料を用いてよい。また、水晶複屈折板の光学軸が０度、９０度、
４５度のものを用いて説明したが、光学軸が他の角度のものを用いて構成してもよいこと
は説明するまでもない。１／４波長板としては水晶波長板、樹脂波長板、構造複屈折の波
長板等がある。また、光透過材、例えば光学ガラスの両面に夫々ＩＲカット膜、ＵＶカッ
ト膜を形成したＵＶ／ＩＲカットフィルタと、１／４波長板、複屈折板を用いて前記の光
学ローパスフィルタを形成してもよい。
【００２８】
図１３は、本発明に係る第５の実施例の撮像装置５０の構造を示す断面図であって、凹
陥型のセラミックパッケージ５１と、個体撮像素子（ＣＣＤ等）５２と、上記で説明した
光学ローパスフィルタ５３と、から構成される。撮像装置５０は、セラミックパッケージ
５１の凹部底面に個体撮像素子（ＣＣＤ等）５２を埋め込み、個体撮像素子（ＣＣＤ等）
５２の端子（図示しない）と、セラミックパッケージ５１の端子（図示しない）とを電気
的に接続する。そして、セラミックパッケージ５１の上部周縁に形成された段差部に、本
発明に係る光学ローパスフィルタ５３をはめ込み、接着剤等で密閉する。光学ローパスフ
ィルタ５３は、図７、図９、図１１で説明した光学ローパスフィルタのいずれかを用いる
。
本発明の撮像装置は近紫外線及び赤外線を防止する機能を有しているので、赤外線によ
る視感度の問題も解消し、光学系に起因する近紫外線の色収差、つまり、青色や紫色の色
にじみの問題も解決されるという効果がある。
【図面の簡単な説明】
【００２９】
【図１】本発明に係る近紫外線及び赤外線カットフィルタの概略斜視図。
【図２】図１の膜構成要素の詳細を示す図。
【図３】（ａ）はＩＲカット膜の各層の材質とその膜厚を示す図、（ｂ）はＵＶカット膜の各層の材質とその膜厚を示す図。
【図４】ＩＲカット膜の波長（ｎｍ）−透過率（％）特性を示す図。
【図５】ＵＶカット膜の波長（ｎｍ）−透過率（％）特性を示す図。
【図６】ＵＶ及びＩＲカット膜の波長（ｎｍ）−透過率（％）特性を示す図。
【図７】ＵＶ及びＩＲカット膜付き光学ローパスフィルタの斜視図。
【図８】図７の分解斜視図。
【図９】ＵＶ及びＩＲカット膜付き光学ローパスフィルタの斜視図。
【図１０】図９の分解斜視図。
【図１１】ＵＶ及びＩＲカット膜付き光学ローパスフィルタの斜視図。
【図１２】図１１の分解斜視図。
【図１３】ＵＶ及びＩＲカット膜付き光学ローパスフィルタを用いた撮像装置を示す図。
【図１４】従来のＩＲカット膜付き光学ローパスフィルタの構成を示す図。
【図１５】光学フィルタユニットの構成を示す断面図。
【図１６】従来のＵＶ及びＩＲカットフィルタの構成を示す図。
【図１７】図１２のフィルタの波長（ｎｍ）−透過率（％）特性を示す図。
【符号の説明】
【００３０】
１…近紫外線及び赤外線カットフィルタ、２…光透過部材、２ａ，５ａ，２１ａ，２８
ａ…赤外線カット膜、２ｂ，５ｂ，２１ｂ，２８ｂ…近紫外線カット膜、Ｌ３…酸化チタ
ン膜、Ｌ２…酸化シリコン膜、３，１８，２５，５３…近紫外線及び赤外線カット膜付き
光学ローパスフィルタ、４，２０，２７…近紫外線及び赤外線カット膜付き複屈折板、５
，７，２１，２８，３０…複屈折板、６，１９，２６，２９…１／４波長板、９…光軸、
１０，１４，１６，２２，３２，３６，３８…常光線、１１，１５，１７，２３，３３，
３７，３９…異常光線、１２，１３，１９'，２１，３１，３４，３５…円偏光、４ｘ，
４ｚ，７ｙ，７ｚ，２０ｘ，２０ｚ，２７ｘ，２７ｚ，３０ｙ，３０ｚ…光軸、５０…撮
像装置、５１…セラミックパッケージ、５２…ＣＣＤ。
【図１】
2007304573.tif 000003
【図２】
2007304573.tif 000004
【図３】
2007304573.tif 000005
【図４】
2007304573.tif 000006
【図５】
2007304573.tif 000007
【図６】
2007304573.tif 000008
【図７】
2007304573.tif 000009
【図８】
2007304573.tif 000010
【図９】
2007304573.tif 000011
【図１０】
2007304573.tif 000012
【図１１】
2007304573.tif 000013
【図１２】
2007304573.tif 000014
【図１３】
2007304573.tif 000015
【図１４】
2007304573.tif 000016
【図１５】
2007304573.tif 000017
【図１６】
2007304573.tif 000018
【図１７】
2007304573.tif 000019